(57)【要約】      （修正有）【課題】簡単で使いやすく、２層ボイスコイルのリード引き出しの難しさを低下させ、引き出し効率を向上させる一体式ダブルボイスコイルスピーカーを提供する。【解決手段】ハウジング１、振動フィルム２、２層ボイスコイル３、磁石５、内ケース６、及び調音布７を含む一体式ダブルボイスコイルスピーカーであって、調音布の前面が内ケースの背面に固定接続され、内ケースの中心には貫通穴が開設され、内ケースの内部前面が磁石の背面に固定接続され、２層ボイスコイルの前面が振動フィルムの背面におけるエッジの内側に固定接続され、振動フィルムの前面が２層ボイスコイルより外側のエッジで、ハウジングの内部背面のエッジに固定接続され、ハウジングの内部背面のエッジが内ケースの外周部の前面のエッジに固定接続され、接続部にはワッシャー４が設けられ、内ケースの外周部の中心に対する両端には、それぞれ切欠き部が開設される。【選択図】図２
0003226997.tif 000002
【実用新案登録請求の範囲】
【請求項１】
ハウジング（１）、振動フィルム（２）、２層ボイスコイル（３）、磁石（５）、内ケース（６）、及び調音布（７）を含む一体式ダブルボイスコイルスピーカーであって、
前記調音布（７）の前面が内ケース（６）の背面に固定接続され、
前記内ケース（６）の中心には貫通穴が開設され、
前記内ケース（６）の内部前面が磁石（５）の背面に固定接続され、
前記２層ボイスコイル（３）の前面が振動フィルム（２）の背面におけるエッジの内側に固定接続され、
前記振動フィルム（２）の前面が前記２層ボイスコイル（３）より外側のエッジで、ハウジング（１）の内部背面のエッジに固定接続され、
前記ハウジング（１）の内部背面のエッジが内ケース（６）の外周部の前面のエッジに固定接続され、この接続部にはワッシャーが設けられ、
前記内ケース（６）の外周部の中心に対する両端には、それぞれ切欠き部が開設される、ことを特徴とする一体式ダブルボイスコイルスピーカー。
【請求項２】
ＰＣＢ板（８）が、前記調音布（７）の中心に開設された貫通穴の内部に嵌設されて固定接続される、ことを特徴とする請求項１に記載の一体式ダブルボイスコイルスピーカー。
【請求項３】
前記磁石（５）の前面がスプリングワッシャー（４）の背面に固定接続され、
前記スプリングワッシャー（４）が２層ボイスコイル（３）の内側に位置する、ことを特徴とする請求項１に記載の一体式ダブルボイスコイルスピーカー。
【請求項４】
前記ハウジング（１）の中心には、貫通穴が開設される、ことを特徴とする請求項１に記載の一体式ダブルボイスコイルスピーカー。
【考案の詳細な説明】
【技術分野】
【０００１】
本考案は、スピーカーの技術分野に関し、具体的には一体式ダブルボイスコイルスピーカーに関する。
【背景技術】
【０００２】
スピーカーは、電気信号を音響信号に変換する変換デバイスであり、スピーカーの性能は音質に大きな影響を与える。それは、オーディオエネルギーが電磁効果、圧電効果、または静電効果により、紙のコーンや振動板を振動させ、周囲の空気と共振（共鳴）させて音を出すものである。しかし、伝統的なスピーカーで使用されているボイスコイルは、単層ボイスコイルであり、単層ボイスコイルのリードがスピーカー構造から引き出すことに不便であり、引き出す難しさが増加され、引き出し効率が低下されるとともに、作業難度が増加される。
【考案の概要】
【考案が解決しようとする課題】
【０００３】
本考案の目的は、上記の背景技術に提出された問題を解决するために一体式ダブルボイスコイルスピーカーを提供する。
【０００４】
上記の技術問題を解决するために、本考案は、ハウジング、振動フィルム、２層ボイスコイル、磁石、内ケース、及び調音布を含む一体式ダブルボイスコイルスピーカーであって、前記調音布の前面が内ケースの背面に固定接続され、前記内ケースの中心には貫通穴が開設され、前記内ケースの内部前面が磁石の背面に固定接続され、前記２層ボイスコイルの前面が振動フィルムの背面におけるエッジの内側に固定接続され、前記振動フィルムの前面が２層ボイスコイルより外側のエッジで、ハウジングの内部背面のエッジに固定接続され、前記ハウジングの内部背面のエッジが内ケースの外周部の前面のエッジに固定接続され、この接続部にはワッシャーが設けられ、前記内ケースの外周部の中心に対する両端には、それぞれ切欠き部が開設される一体式ダブルボイスコイルスピーカーを提供する。
【０００５】
さらには、ＰＣＢ板が、前記調音布の中心に開設された貫通穴の内部に嵌設されて固定接続される。
【０００６】
さらには、前記磁石の前面がスプリングワッシャーの背面に固定接続され、スプリングワッシャーが２層ボイスコイルの内側に位置する。
【０００７】
さらには、前記ハウジングの中心には、貫通穴が開設される。
【０００８】
従来技術と比べて、本考案が奏する有益な効果は、この考案は、一体式ダブルボイスコイルスピーカー中に使用されている２層ボイスコイルにより、リードをスピーカーの内部構造から引き出すことに便利で役立ち、引き出す難しさを低下させ、引き出し効率を向上させるとともに、作業難度が軽減される。
【図面の簡単な説明】
【０００９】
図面は、考案のさらなる理解を提供するために使用されるとともに明細書の一部を構成し、考案の実施形態とともに考案を説明するために使用され、考案に対する制限を構成するものではない。
【図１】図１は、本考案における全体構造の断面視である。
【図２】図２は、本考案における全体構造の概念図である。
【図３】図３は、本考案におけるハウジング構造の概念図である。
【図４】図４は、本考案における内ケースを含む構造の概念図である。
【図５】図５は、本考案における調音布を含む構造の概念図である。
【考案を実施するための形態】
【００１０】
以下に本考案の実施形態における添付図面を参照して本考案の実施形態における技術案を明確かつ完全に説明される。説明された実施形態は、本考案における実施形態の一部にすぎず、実施形態のすべてではないことは明らかである。創造的な努力をせずに本考案の実施形態に基づいて当業者によって得られる他のすべての実施形態は、本考案の範囲内に含まれる。
【００１１】
図１−５を参照して、本考案が提供する技術案は、一体式ダブルボイスコイルスピーカーは、ハウジング１、振動フィルム２、２層ボイスコイル３、スプリングワッシャー４、磁石５、内ケース６、調音布７、及びＰＣＢ板８を含み、ＰＣＢ板８の外側のエッジが調音布７の中心に開設された貫通穴の内部に嵌設されて固定接続されることにより、占有スペースを減らすのに役立つ。調音布７の前面が内ケース６の背面に固定接続され、内ケース６の中心には貫通穴が開設され、内ケース６の内部前面の中心が磁石５の背面に固定接続され、磁石５の前面がスプリングワッシャー４の背面に固定接続され、スプリングワッシャー４が２層ボイスコイル３の内側に位置することにより、発音に役立つ。２層ボイスコイル３の前面が振動フィルム２の背面のエッジの内側に固定接続され、振動フィルム２が２層ボイスコイル３より外側のエッジで、ハウジング１の内部背面におけるエッジに固定接続され、ハウジング１の中心には貫通穴が開設されることにより、発音に役立つ。ハウジング１の内部背面のエッジが内ケース６の外周部の前面のエッジに固定接続され、この接続部にはワッシャーが設けられ、内ケース６の外周部の中心における両側には、それぞれ切欠き部が開設される。この一体式ダブルボイスコイルスピーカーにおける２層ボイスコイル３は、まず一つの２層コイルに巻かれて２本のリードを引き出してから、単層ボイスコイルの外層において一つの２層コイル再度巻かれてなり、２つのボイスコイルリードは１８０°で引き出すことにより、リードをハウジング１と内ケース６からなる内部空間から引き出してから、このリードとＰＣＢ板８とが並列にまたは直列に接続されることに役立ち、さらにＰＣＢ板８と電源が導電線により固定接続され、即ちこの考案を用いることができる。
【００１２】
なお、本明細書において、第１や第２などの関係用語は、1つのエンティティまたは操作を別のエンティティまたは操作から区別するためにのみ使用され、これらのエンティティまたは操作間にそのような実際の関係または順序があることは必ずしも必要ではなく、示唆でもない。さらに、「有する」、「含む」などの用語は、またはそれらの他の変形は、非排他的な含むことをカバーすることを意図しており、一連の要素を含むプロセス、方法、物品、またはデバイスには、これらの要素だけでなく、明示的にリストされていない要素も含まれ、またはこのようなプロセス、方法、物品、またはデバイスに固有するその他の要素もさらに含まれる。
【００１３】
最後に、なお、上記は、本考案の好ましい実施形態にすぎず、本考案を限定することは意図されていないが、本考案は、前述の実施形態を参照して詳細に説明されているが、当業者にとって、それらは、前述の実施形態に記載された技術案を依然として変更することができ、または同等にいくつかの技術的特徴を置き換えることができる。本考案の精神と原則の範囲内で行われた何れの補正、同等の交換、改善などは、本考案の保護の範囲に含まれるべきである。
【符号の説明】
【００１４】
１  ハウジング
２  振動フィルム
３  ２層ボイスコイル
４  スプリングワッシャー（spring washer）
５  磁石
６  内ケース
７  調音布
８  ＰＣＢ板
【図１】
0003226997.tif 000003
【図２】
0003226997.tif 000004
【図３】
0003226997.tif 000005
【図４】
0003226997.tif 000006
【図５】
0003226997.tif 000007